(57)【要約】【課題】登録済みの過去の栽培履歴を利用することで、出荷者に合わせた栽培履歴で入力を行える栽培履歴登録方法を提供すること。【解決手段】サーバー１が出荷商品の商品名の選択を促す商品選択ステップ３０と、商品選択ステップ３０で選択した商品名の商品について、登録済みの過去の栽培履歴の中から一つの栽培履歴の選択を促す栽培履歴選択ステップ５０と、栽培履歴選択ステップ５０で選択された登録済みの栽培履歴の明細項目８０を表示し、新たな栽培履歴の入力を促す栽培履歴入力ステップ６０と、栽培履歴入力ステップ６０で入力された出荷商品に関する新たな栽培履歴を登録する栽培履歴登録ステップ９０を有することを特徴とする。【選択図】        図１
2018190057.tif 000002
【特許請求の範囲】
【請求項１】
出荷者、前記出荷者が出荷する出荷商品、前記出荷商品を出荷する出荷予定日、及び前記出荷商品を栽培する圃場情報を含み、前記出荷商品の栽培に用いる農薬及び肥料のいずれかを少なくとも登録する栽培履歴登録方法であって、
サーバーが
前記出荷商品の商品名の選択を促す商品選択ステップと、
前記商品選択ステップで選択した前記商品名の商品について、登録済みの過去の栽培履歴の中から一つの前記栽培履歴の選択を促す栽培履歴選択ステップと、
前記栽培履歴選択ステップで選択された登録済みの前記栽培履歴の明細項目を表示し、新たな前記栽培履歴の入力を促す栽培履歴入力ステップと、
前記栽培履歴入力ステップで入力された前記出荷商品に関する新たな栽培履歴を登録する栽培履歴登録ステップと
を有する
ことを特徴とする栽培履歴登録方法。
【請求項２】
前記商品選択ステップでは、
前記出荷者が過去に登録した前記栽培履歴の情報を栽培履歴データベースから抽出する栽培履歴情報抽出ステップと、
前記栽培履歴情報抽出ステップで抽出された前記栽培履歴から、履歴登録のある前記商品名を抽出する商品名抽出ステップと、
履歴登録のある前記商品名別に栽培回数を算出する栽培回数算出ステップと、
前記商品名抽出ステップで抽出された前記商品名を、前記栽培回数算出ステップで算出された前記栽培回数が多い順に一覧表示として出力する商品名表示ステップと
を有することを特徴とする請求項１に記載の栽培履歴登録方法。
【請求項３】
前記サーバーが、
前記商品選択ステップで選択された前記商品について、前記商品に使用する栽培基準の選択を促す栽培基準選択ステップを有し、
前記栽培履歴選択ステップでは、前記栽培基準選択ステップで選択された前記栽培基準についての前記栽培履歴の選択を促す
ことを特徴とする請求項１又は請求項２に記載の栽培履歴登録方法。
【請求項４】
前記栽培履歴選択ステップでは、
前記商品選択ステップで選択された前記商品についての前記栽培履歴の前記情報を、前記栽培履歴情報抽出ステップで抽出された前記栽培履歴から抽出する特定商品栽培履歴情報抽出ステップと、
前記特定商品栽培履歴情報抽出ステップで抽出された個々の前記栽培履歴について、作付中、出荷中、又は出荷完了のいずれかに作業状態を区分する作業状態区分ステップと、
前記特定商品栽培履歴情報抽出ステップで抽出した前記栽培履歴を、前記作業状態区分ステップで区分した前記作業状態とともに一覧表示として出力する栽培履歴表示ステップと
を有することを特徴とする請求項２に記載の栽培履歴登録方法。
【請求項５】
前記栽培履歴入力ステップでは、
前記栽培履歴選択ステップで選択された一つの前記栽培履歴の情報を、前記栽培履歴情報抽出ステップで抽出された前記栽培履歴から抽出する特定栽培履歴情報抽出ステップと、
前記特定栽培履歴情報抽出ステップで抽出された一つの前記栽培履歴の前記明細項目を、作業名別、肥料名別、及び農薬名別の表示として出力する明細表示ステップと、
前記明細表示ステップで作成された前記明細項目を、前記作業名別、前記肥料名別、及び前記農薬名別に、削除と複写との選択を促す明細項目選択ステップと、
前記明細項目選択ステップで前記削除が選択されると、前記削除が選択された前記明細項目を削除する明細項目削除ステップと、
前記明細項目選択ステップで前記複写が選択されると、前記複写が選択された前記明細項目を複写して新たな前記明細項目を追加する明細項目追加ステップと、
前記明細表示ステップで作成された前記明細項目について、作業年月日の入力を促す明細項目入力ステップと
を有することを特徴とする請求項４に記載の栽培履歴登録方法。
【請求項６】
前記栽培履歴入力ステップでは、
前記明細表示ステップで作成された前記明細項目以外の作業の入力を促す作業入力ステップと、
前記作業入力ステップで前記作業が入力されると、履歴の選択を促す作業名表示選択ステップと、
前記作業名表示選択ステップで前記履歴が選択されると、前記特定商品栽培履歴情報抽出ステップで抽出した前記栽培履歴に登録している作業名を抽出する作業名抽出ステップと、
前記作業名抽出ステップで抽出した前記作業名を一覧表示として出力する登録作業名一覧表示ステップと
を有することを特徴とする請求項５に記載の栽培履歴登録方法。
【請求項７】
前記栽培履歴入力ステップでは、
前記明細表示ステップで作成された前記明細項目以外の肥料の入力を促す肥料入力ステップと、
前記肥料入力ステップで前記肥料が入力されると、履歴の選択を促す肥料内容表示選択ステップと、
前記肥料内容表示選択ステップで前記履歴が選択されると、前記特定商品栽培履歴情報抽出ステップで抽出した前記栽培履歴に登録している肥料名を抽出する肥料内容抽出ステップと、
前記肥料内容抽出ステップで抽出した前記肥料名を一覧表示として出力する登録肥料名一覧表示ステップと
を有することを特徴とする請求項５に記載の栽培履歴登録方法。
【請求項８】
前記肥料内容表示選択ステップでは、前記肥料入力ステップで前記肥料が入力されると、推奨又は全体の選択を促し、
前記肥料内容表示選択ステップで前記推奨が選択されると、肥料データベースに登録している肥料名の中であらかじめ管理者が推奨する前記肥料として登録している前記肥料名を抽出する推奨肥料内容抽出ステップと、
前記肥料内容表示選択ステップで前記全体が選択されると、前記肥料データベースに登録している全ての前記肥料名を抽出する全肥料内容抽出ステップと
を有し、
前記登録肥料名一覧表示ステップでは、前記推奨肥料内容抽出ステップで抽出した前記肥料名又は前記全肥料内容抽出ステップで抽出した前記肥料名を一覧表示として出力する
ことを特徴とする請求項７に記載の栽培履歴登録方法。
【請求項９】
前記栽培履歴入力ステップでは、
前記明細表示ステップで作成された前記明細項目以外の農薬の入力を促す農薬入力ステップと、
前記農薬入力ステップで前記農薬が入力されると、履歴の選択を促す農薬内容表示選択ステップと、
前記農薬内容表示選択ステップで前記履歴が選択されると、前記特定商品栽培履歴情報抽出ステップで抽出した前記栽培履歴に登録している農薬名を抽出する農薬内容抽出ステップと、
前記農薬内容抽出ステップで抽出した前記農薬名を一覧表示として出力する登録農薬名一覧表示ステップと
を有することを特徴とする請求項５に記載の栽培履歴登録方法。
【請求項１０】
前記農薬内容表示選択ステップでは、前記農薬入力ステップで前記農薬が入力されると、推奨又は全体の選択を促し、
前記農薬内容表示選択ステップで前記推奨が選択されると、農薬データベースに登録している農薬名の中であらかじめ管理者が推奨する前記農薬として登録している前記農薬名を抽出する推奨農薬内容抽出ステップと、
前記農薬内容表示選択ステップで前記全体が選択されると、前記農薬データベースに登録している農薬の全ての前記農薬名を抽出する全農薬内容抽出ステップと
を有し、
前記登録農薬名一覧表示ステップでは、前記推奨農薬内容抽出ステップで抽出した前記農薬名又は前記全農薬内容抽出ステップで抽出した前記農薬名を一覧表示として出力する
ことを特徴とする請求項９に記載の栽培履歴登録方法。
【請求項１１】
前記サーバーが
あらかじめ商品別に登録している標準栽培パターンの選択を促す登録方法選択ステップと、
前記登録方法選択ステップで前記標準栽培パターンが選択されると、前記商品選択ステップで選択した前記商品名の商品について、前記標準栽培パターンを抽出する標準栽培パターン情報抽出ステップと、
前記標準栽培パターン情報抽出ステップで抽出された前記標準栽培パターンの明細項目を、作業名別、肥料名別、及び農薬名別の表示として出力する明細表示ステップと
を有する
ことを特徴とする請求項１から請求項３のいずれか１項に記載の栽培履歴登録方法。
【発明の詳細な説明】
【技術分野】
【０００１】
本発明は、栽培履歴を管理するための栽培履歴登録方法に関する。
【背景技術】
【０００２】
各地域では、例えば直売所などの管理者が、栽培品目別に栽培指針を作成して配布している。出荷者はこの栽培指針を参考にして栽培を行い、栽培に用いた農薬などは手書きで管理者に提出している。
しかし、手書き情報では、不鮮明で記入間違いがあり、管理者の管理負担は大きく、トレーサビリティの導入が困難である。
特許文献１は、履歴管理日誌へのデータの記入を簡単とし、ミスが生じにくいものとする栽培履歴管理方法を提案している。
特許文献１では、植物を栽培する際の作業について、その植物の栽培過程に沿って時系列に並べられた各作業工程の実施時期と、各作業工程で使用する資材の名称と、各作業工程を実施した日時及び各作業工程で使用した資材の使用量の記入欄とを記した履歴管理日誌を発行している。
【先行技術文献】
【特許文献】
【０００３】
【特許文献１】特開２００８−３９８４号公報
【発明の開示】
【発明が解決しようとする課題】
【０００４】
特許文献１によれば、時系列に並べられた各作業工程に対応して設けられている記入欄に、その作業工程を実施した日時やその作業工程で使用した農薬の使用量を書き込めばよく、防除日誌へのデータの記入が簡単で、ミスが生じにくい。
しかし、この方法では、出荷者によって作業工程が異なる場合には十分に適用できない。
【０００５】
そこで本発明は、登録済みの過去の栽培履歴を利用することで、出荷者に合わせた栽培履歴で入力を行える栽培履歴登録方法を提供することを目的とする。
【課題を解決するための手段】
【０００６】
請求項１記載の本発明の栽培履歴登録方法は、出荷者、前記出荷者が出荷する出荷商品、前記出荷商品を出荷する出荷予定日、及び前記出荷商品を栽培する圃場情報を含み、前記出荷商品の栽培に用いる農薬及び肥料のいずれかを少なくとも登録する栽培履歴登録方法であって、サーバーが前記出荷商品の商品名の選択を促す商品選択ステップと、前記商品選択ステップで選択した前記商品名の商品について、登録済みの過去の栽培履歴の中から一つの前記栽培履歴の選択を促す栽培履歴選択ステップと、前記栽培履歴選択ステップで選択された登録済みの前記栽培履歴の明細項目を表示し、新たな前記栽培履歴の入力を促す栽培履歴入力ステップと、前記栽培履歴入力ステップで入力された前記出荷商品に関する新たな栽培履歴を登録する栽培履歴登録ステップとを有することを特徴とする。
請求項２記載の本発明は、請求項１に記載の栽培履歴登録方法において、前記商品選択ステップでは、前記出荷者が過去に登録した前記栽培履歴の情報を栽培履歴データベースから抽出する栽培履歴情報抽出ステップと、前記栽培履歴情報抽出ステップで抽出された前記栽培履歴から、履歴登録のある前記商品名を抽出する商品名抽出ステップと、履歴登録のある前記商品名別に栽培回数を算出する栽培回数算出ステップと、前記商品名抽出ステップで抽出された前記商品名を、前記栽培回数算出ステップで算出された前記栽培回数が多い順に一覧表示として出力する商品名表示ステップとを有することを特徴とする。
請求項３記載の本発明は、請求項１又は請求項２に記載の栽培履歴登録方法において、前記サーバーが、前記商品選択ステップで選択された前記商品について、前記商品に使用する栽培基準の選択を促す栽培基準選択ステップを有し、前記栽培履歴選択ステップでは、前記栽培基準選択ステップで選択された前記栽培基準についての前記栽培履歴の選択を促すことを特徴とする。
請求項４記載の本発明は、請求項２に記載の栽培履歴登録方法において、前記栽培履歴選択ステップでは、前記商品選択ステップで選択された前記商品についての前記栽培履歴の前記情報を、前記栽培履歴情報抽出ステップで抽出された前記栽培履歴から抽出する特定商品栽培履歴情報抽出ステップと、前記特定商品栽培履歴情報抽出ステップで抽出された個々の前記栽培履歴について、作付中、出荷中、又は出荷完了のいずれかに作業状態を区分する作業状態区分ステップと、前記特定商品栽培履歴情報抽出ステップで抽出した前記栽培履歴を、前記作業状態区分ステップで区分した前記作業状態とともに一覧表示として出力する栽培履歴表示ステップとを有することを特徴とする。
請求項５記載の本発明は、請求項４に記載の栽培履歴登録方法において、前記栽培履歴入力ステップでは、前記栽培履歴選択ステップで選択された一つの前記栽培履歴の情報を、前記栽培履歴情報抽出ステップで抽出された前記栽培履歴から抽出する特定栽培履歴情報抽出ステップと、前記特定栽培履歴情報抽出ステップで抽出された一つの前記栽培履歴の前記明細項目を、前記作業名別、前記肥料名別、及び前記農薬名別の表示として出力する明細表示ステップと、前記明細表示ステップで作成された前記明細項目を、作業名別、肥料名別、及び農薬名別に、削除と複写との選択を促す明細項目選択ステップと、前記明細項目選択ステップで前記削除が選択されると、前記削除が選択された前記明細項目を削除する明細項目削除ステップと、前記明細項目選択ステップで前記複写が選択されると、前記複写が選択された前記明細項目を複写して新たな前記明細項目を追加する明細項目追加ステップと、前記明細表示ステップで作成された前記明細項目について、作業年月日の入力を促す明細項目入力ステップとを有することを特徴とする。
請求項６記載の本発明は、請求項５に記載の栽培履歴登録方法において、前記栽培履歴入力ステップでは、前記明細表示ステップで作成された前記明細項目以外の作業の入力を促す作業入力ステップと、前記作業入力ステップで前記作業が入力されると、履歴の選択を促す作業名表示選択ステップと、前記作業名表示選択ステップで前記履歴が選択されると、前記特定商品栽培履歴情報抽出ステップで抽出した前記栽培履歴に登録している作業名を抽出する作業名抽出ステップと、前記作業名抽出ステップで抽出した前記作業名を一覧表示として出力する登録作業名一覧表示ステップとを有することを特徴とする。
請求項７記載の本発明は、請求項５に記載の栽培履歴登録方法において、前記栽培履歴入力ステップでは、前記明細表示ステップで作成された前記明細項目以外の肥料の入力を促す肥料入力ステップと、前記肥料入力ステップで前記肥料が入力されると、履歴の選択を促す肥料内容表示選択ステップと、前記肥料内容表示選択ステップで前記履歴が選択されると、前記特定商品栽培履歴情報抽出ステップで抽出した前記栽培履歴に登録している肥料名を抽出する肥料内容抽出ステップと、前記肥料内容抽出ステップで抽出した前記肥料名を一覧表示として出力する登録肥料名一覧表示ステップとを有することを特徴とする。
請求項８記載の本発明は、請求項７に記載の栽培履歴登録方法において、前記肥料内容表示選択ステップでは、前記肥料入力ステップで前記肥料が入力されると、推奨又は全体の選択を促し、前記肥料内容表示選択ステップで前記推奨が選択されると、肥料データベースに登録している肥料名の中であらかじめ管理者が推奨する前記肥料として登録している前記肥料名を抽出する推奨肥料内容抽出ステップと、前記肥料内容表示選択ステップで前記全体が選択されると、前記肥料データベースに登録している全ての前記肥料名を抽出する全肥料内容抽出ステップとを有し、前記登録肥料名一覧表示ステップでは、前記推奨肥料内容抽出ステップで抽出した前記肥料名又は前記全肥料内容抽出ステップで抽出した前記肥料名を一覧表示として出力することを特徴とする。
請求項９記載の本発明は、請求項５に記載の栽培履歴登録方法において、前記栽培履歴入力ステップでは、前記明細表示ステップで作成された前記明細項目以外の農薬の入力を促す農薬入力ステップと、前記農薬入力ステップで前記農薬が入力されると、履歴の選択を促す農薬内容表示選択ステップと、前記農薬内容表示選択ステップで前記履歴が選択されると、前記特定商品栽培履歴情報抽出ステップで抽出した前記栽培履歴に登録している農薬名を抽出する農薬内容抽出ステップと、前記農薬内容抽出ステップで抽出した前記農薬名を一覧表示として出力する登録農薬名一覧表示ステップとを有することを特徴とする。
請求項１０記載の本発明は、請求項９に記載の栽培履歴登録方法において、前記農薬内容表示選択ステップでは、前記農薬入力ステップで前記農薬が入力されると、推奨又は全体の選択を促し、前記農薬内容表示選択ステップで前記推奨が選択されると、農薬データベースに登録している農薬名の中であらかじめ管理者が推奨する前記農薬として登録している前記農薬名を抽出する推奨農薬内容抽出ステップと、前記農薬内容表示選択ステップで前記全体が選択されると、前記農薬データベースに登録している農薬の全ての前記農薬名を抽出する全農薬内容抽出ステップとを有し、前記登録農薬名一覧表示ステップでは、前記推奨農薬内容抽出ステップで抽出した前記農薬名又は前記全農薬内容抽出ステップで抽出した前記農薬名を一覧表示として出力することを特徴とする。
請求項１１記載の本発明は、請求項１から請求項３のいずれか１項に記載の栽培履歴登録方法において、前記サーバーがあらかじめ商品別に登録している標準栽培パターンの選択を促す登録方法選択ステップと、前記登録方法選択ステップで前記標準栽培パターンが選択されると、前記商品選択ステップで選択した前記商品名の商品について、前記標準栽培パターンを抽出する標準栽培パターン情報抽出ステップと、前記標準栽培パターン情報抽出ステップで抽出された前記標準栽培パターンの明細項目を、作業名別、肥料名別、及び農薬名別の表示として出力する明細表示ステップとを有することを特徴とする。
【発明の効果】
【０００７】
本発明によれば、登録済みの過去の栽培履歴を利用して新たな栽培履歴を入力できるので、栽培履歴の登録作業を簡素化できる。
【図面の簡単な説明】
【０００８】
【図１】本発明の一実施例による栽培履歴登録方法の処理流れを示す概念図
【図２】出荷者認証ステップで表示される出荷者認証画面
【図３】出荷者認証ステップで表示される出荷者認証画面
【図４】登録方法選択ステップで表示される登録方法選択画面
【図５】新規登録を選択した場合の登録方法選択画面
【図６】登録方法選択ステップで「あたらしく」が指示された場合の商品選択画面
【図７】図６において、「検索」が指示された場合の商品検索画面
【図８】図７で、商品名に「あま」の文字を入力した場合の検索結果を示す画面
【図９】図８で表示された「甘長とうがらし」が指示された状態を示す画面
【図１０】栽培基準選択ステップで表示される栽培基準選択画面
【図１１】図１０で表示された「甘長とうがらし（露地栽培）」が指示された状態を示す画面
【図１２】栽培履歴入力ステップで表示される栽培履歴入力画面
【図１３】図１２で、「出荷開始予定日」を指示した場合に表示されるカレンダーを示す画面
【図１４】図１２で、「出荷完了予定日」を指示した場合に表示されるカレンダーを示す画面
【図１５】図１２で、「圃場住所」を指示した場合に表示される圃場一覧リスト
【図１６】図１２で、「区画」を指示した場合に表示されるテンキーを示す画面
【図１７】図１２で、「面積」を指示した場合に表示されるテンキーを示す画面
【図１８】図１２で、「作付回数」を指示した場合に表示されるテンキーを示す画面
【図１９】図１２に示した栽培履歴入力画面
【図２０】図１９において、作業名に該当する入力キー「作業」を指示した場合に表示される作業選択画面
【図２１】図２０で、検索欄に「は」の文字を入力した場合の検索結果を示す画面
【図２２】図２１で表示された「は種」が指示された場合の入力状態を示す栽培履歴入力画面
【図２３】図２２で、「は種」が入力された明細項目について「作業年月日」を指示した場合に表示されるカレンダーを示す画面
【図２４】図２３で「は種」が入力された明細項目に「作業年月日」を入力した状態を示す栽培履歴入力画面
【図２５】図２４において、肥料名に該当する入力キー「肥料」を指示した場合に表示される肥料選択画面
【図２６】図２５で、検索欄に「けん」の文字を入力した場合の検索結果を示す画面
【図２７】図２６で表示された「県連配合６号  ３０Ｋ」が指示された場合の入力状態を示す栽培履歴入力画面
【図２８】図２７で、「県連配合６号  ３０Ｋ」が入力された明細項目について「作業年月日」を指示した場合に表示されるカレンダーを示す画面
【図２９】図２７で、「県連配合６号  ３０Ｋ」が入力された明細項目について「使用量」を指示した場合に表示されるテンキーを示す画面
【図３０】図２９で「県連配合６号  ３０Ｋ」が入力された明細項目に「使用量」を入力した状態を示す栽培履歴入力画面
【図３１】図３０において、農薬名に該当する入力キー「農薬」を指示した場合に表示される農薬選択画面
【図３２】図３１で、検索欄に「べん」の文字を入力した場合の検索結果を示す画面
【図３３】図３２で表示された「ベンレート水和剤」が指示された場合を示す使用方法選択画面
【図３４】図３３で表示された使用方法から「散布」が指示された場合の使用基準選択画面
【図３５】図３４で表示された使用基準の中から該当する使用基準が指示された場合の入力状態を示す栽培履歴入力画面
【図３６】使用基準が複数ある場合の使用基準選択画面
【図３７】図３５で、「収穫」が入力された明細項目について「作業年月日」を指示した場合に表示されるカレンダーを示す画面
【図３８】図３５で、「ベンレート水和剤」「収穫前日まで」「散布」「炭疽病」が入力された明細項目について「散布液量」を指示した場合に表示されるテンキーを示す画面
【図３９】図３５で、「ベンレート水和剤」「収穫前日まで」「散布」「炭疽病」が入力された明細項目について「希釈倍数／使用量」を指示した場合に表示されるテンキーを示す画面
【図４０】図３５で「ベンレート水和剤」「収穫前日まで」「散布」「炭疽病」が入力された明細項目に「作業年月日」「散布液量」「希釈倍数／使用量」を入力した状態を示す栽培履歴入力画面
【図４１】図４０で、「登録」を指示された場合の登録確認画面
【図４２】履歴利用登録を選択した場合の登録方法選択画面
【図４３】登録方法選択ステップで「今までの履歴を使って」が指示された場合の商品選択画面
【図４４】図４３において、いずれかの商品が指示された場合の栽培履歴選択画面
【図４５】図４４において、参照したい栽培履歴を選択し「次へ」を指示した場合の栽培履歴入力画面
【図４６】図４５に示した栽培履歴入力画面
【図４７】栽培パターン利用登録を選択した場合の登録方法選択画面
【図４８】登録方法選択ステップで「栽培パターンを使って」が指示された場合の商品選択画面
【図４９】図４８において、いずれかの商品が指示された場合の栽培履歴入力画面
【図５０】新規継続登録を選択した場合の登録方法選択画面
【図５１】登録方法選択ステップで「つづきから」が指示された場合の栽培履歴入力画面
【図５２】本実施例による栽培履歴登録方法の処理流れを示すフローチャート
【図５３】本実施例による栽培履歴登録方法の処理流れを示すフローチャート
【図５４】本実施例による栽培履歴登録方法の処理流れを示すフローチャート
【図５５】本実施例による栽培履歴登録方法の処理流れを示すフローチャート
【図５６】本実施例による栽培履歴登録方法の処理流れを示すフローチャート
【図５７】本実施例による栽培履歴登録方法に用いる機能実現手段を示すブロック図
【発明を実施するための形態】
【０００９】
本発明の第１の実施の形態による栽培履歴登録方法は、サーバーが出荷商品の商品名の選択を促す商品選択ステップと、商品選択ステップで選択した商品名の商品について、登録済みの過去の栽培履歴の中から一つの栽培履歴の選択を促す栽培履歴選択ステップと、栽培履歴選択ステップで選択された登録済みの栽培履歴の明細項目を表示し、新たな栽培履歴の入力を促す栽培履歴入力ステップと、栽培履歴入力ステップで入力された出荷商品に関する新たな栽培履歴を登録する栽培履歴登録ステップとを有するものである。本実施の形態によれば、登録済みの過去の栽培履歴を利用して新たな栽培履歴を入力できるので、栽培履歴の登録作業を簡素化できる。
【００１０】
本発明の第２の実施の形態は、第１の実施の形態による栽培履歴登録方法において、商品選択ステップでは、出荷者が過去に登録した栽培履歴の情報を栽培履歴データベースから抽出する栽培履歴情報抽出ステップと、栽培履歴情報抽出ステップで抽出された栽培履歴から、履歴登録のある商品名を抽出する商品名抽出ステップと、履歴登録のある商品名別に栽培回数を算出する栽培回数算出ステップと、商品名抽出ステップで抽出された商品名を、栽培回数算出ステップで算出された栽培回数が多い順に一覧表示として出力する商品名表示ステップとを有するものである。本実施の形態によれば、出荷者自らが登録している栽培履歴情報を利用できるので更に栽培履歴の登録作業が簡素化でき、また栽培回数が多い順に商品名が表示されるため、必要とする栽培履歴を抽出しやすい。
【００１１】
本発明の第３の実施の形態は、第１又は第２の実施の形態による栽培履歴登録方法において、サーバーが、商品選択ステップで選択された商品について、商品に使用する栽培基準の選択を促す栽培基準選択ステップを有し、栽培履歴選択ステップでは、栽培基準選択ステップで選択された栽培基準についての栽培履歴の選択を促すものである。本実施の形態によれば、同じ商品でも、例えば露地栽培と施設栽培のように栽培基準が複数存在する場合に、最適な栽培履歴を選択できる。
【００１２】
本発明の第４の実施の形態は、第２の実施の形態による栽培履歴登録方法において、栽培履歴選択ステップでは、商品選択ステップで選択された商品についての栽培履歴の情報を、栽培履歴情報抽出ステップで抽出された栽培履歴から抽出する特定商品栽培履歴情報抽出ステップと、特定商品栽培履歴情報抽出ステップで抽出された個々の栽培履歴について、作付中、出荷中、又は出荷完了のいずれかに作業状態を区分する作業状態区分ステップと、特定商品栽培履歴情報抽出ステップで抽出した栽培履歴を、作業状態区分ステップで区分した作業状態とともに一覧表示として出力する栽培履歴表示ステップとを有するものである。本実施の形態によれば、栽培履歴を選択する際に、作付中、出荷中、又は出荷完了の区分が把握できるため、選択を容易にできる。
【００１３】
本発明の第５の実施の形態は、第４の実施の形態による栽培履歴登録方法において、栽培履歴入力ステップでは、栽培履歴選択ステップで選択された一つの栽培履歴の情報を、栽培履歴情報抽出ステップで抽出された栽培履歴から抽出する特定栽培履歴情報抽出ステップと、特定栽培履歴情報抽出ステップで抽出された一つの栽培履歴の明細項目を、作業名別、肥料名別、及び農薬名別の表示として出力する明細表示ステップと、明細表示ステップで作成された明細項目を、作業名別、肥料名別、及び農薬名別に、削除と複写との選択を促す明細項目選択ステップと、明細項目選択ステップで削除が選択されると、削除が選択された明細項目を削除する明細項目削除ステップと、明細項目選択ステップで複写が選択されると、複写が選択された明細項目を複写して新たな明細項目を追加する明細項目追加ステップと、明細表示ステップで作成された明細項目について、作業年月日の入力を促す明細項目入力ステップとを有するものである。本実施の形態によれば、一つの栽培履歴の明細項目が、作業名別、肥料名別、及び農薬名別で表示され、表示された明細項目単位で削除と複写が可能であるため、栽培履歴の登録作業を簡素化できる。
【００１４】
本発明の第６の実施の形態は、第５の実施の形態による栽培履歴登録方法において、栽培履歴入力ステップでは、明細表示ステップで作成された明細項目以外の作業の入力を促す作業入力ステップと、作業入力ステップで作業が入力されると、履歴の選択を促す作業名表示選択ステップと、作業名表示選択ステップで履歴が選択されると、特定商品栽培履歴情報抽出ステップで抽出した栽培履歴に登録している作業名を抽出する作業名抽出ステップと、作業名抽出ステップで抽出した作業名を一覧表示として出力する登録作業名一覧表示ステップとを有するものである。本実施の形態によれば、選択した過去の栽培履歴では行わなかった作業の追加を、選択しなかった過去の栽培履歴で登録している情報を利用して行えるので、新たな作業の追加を容易に行える。
【００１５】
本発明の第７の実施の形態は、第５の実施の形態による栽培履歴登録方法において、栽培履歴入力ステップでは、明細表示ステップで作成された明細項目以外の肥料の入力を促す肥料入力ステップと、肥料入力ステップで肥料が入力されると、履歴の選択を促す肥料内容表示選択ステップと、肥料内容表示選択ステップで履歴が選択されると、特定商品栽培履歴情報抽出ステップで抽出した栽培履歴に登録している肥料名を抽出する肥料内容抽出ステップと、肥料内容抽出ステップで抽出した肥料名を一覧表示として出力する登録肥料名一覧表示ステップとを有するものである。本実施の形態によれば、選択した過去の栽培履歴では用いなかった肥料の追加を、選択しなかった過去の栽培履歴で登録している情報を利用して行えるので、新たな肥料の追加を容易に行える。
【００１６】
本発明の第８の実施の形態は、第７の実施の形態による栽培履歴登録方法において、肥料内容表示選択ステップでは、肥料入力ステップで肥料が入力されると、推奨又は全体の選択を促し、肥料内容表示選択ステップで推奨が選択されると、肥料データベースに登録している肥料名の中であらかじめ管理者が推奨する肥料として登録している肥料名を抽出する推奨肥料内容抽出ステップと、肥料内容表示選択ステップで全体が選択されると、肥料データベースに登録している全ての肥料名を抽出する全肥料内容抽出ステップとを有し、登録肥料名一覧表示ステップでは、推奨肥料内容抽出ステップで抽出した肥料名又は全肥料内容抽出ステップで抽出した肥料名を一覧表示として出力するものである。本実施の形態によれば、選択した過去の栽培履歴では用いなかった肥料の追加を、肥料データベースに登録している情報を利用して行え、更に全肥料と推奨肥料とを選択して抽出できるので、新たな肥料の追加を容易に行える。
【００１７】
本発明の第９の実施の形態は、第５の実施の形態による栽培履歴登録方法において、栽培履歴入力ステップでは、明細表示ステップで作成された明細項目以外の農薬の入力を促す農薬入力ステップと、農薬入力ステップで農薬が入力されると、履歴の選択を促す農薬内容表示選択ステップと、農薬内容表示選択ステップで履歴が選択されると、特定商品栽培履歴情報抽出ステップで抽出した栽培履歴に登録している農薬名を抽出する農薬内容抽出ステップと、農薬内容抽出ステップで抽出した農薬名を一覧表示として出力する登録農薬名一覧表示ステップとを有するものである。本実施の形態によれば、選択した過去の栽培履歴では用いなかった農薬の追加を、選択しなかった過去の栽培履歴で登録している情報を利用して行えるので、新たな農薬の追加を容易に行える。
【００１８】
本発明の第１０の実施の形態は、第９の実施の形態による栽培履歴登録方法において、農薬内容表示選択ステップでは、農薬入力ステップで農薬が入力されると、推奨又は全体の選択を促し、農薬内容表示選択ステップで推奨が選択されると、農薬データベースに登録している農薬名の中であらかじめ管理者が推奨する農薬として登録している農薬名を抽出する推奨農薬内容抽出ステップと、農薬内容表示選択ステップで全体が選択されると、農薬データベースに登録している農薬の全ての農薬名を抽出する全農薬内容抽出ステップとを有し、登録農薬名一覧表示ステップでは、推奨農薬内容抽出ステップで抽出した肥料名又は全農薬内容抽出ステップで抽出した農薬名を一覧表示として出力するものである。本実施の形態によれば、選択した過去の栽培履歴では用いなかった農薬の追加を、農薬データベースに登録している情報を利用して行え、更に全農薬と推奨農薬とを選択して抽出できるので、新たな農薬の追加を容易に行える。
【００１９】
本発明の第１１の実施の形態は、第１から第３のいずれかの実施の形態による栽培履歴登録方法において、サーバーがあらかじめ商品別に登録している標準栽培パターンの選択を促す登録方法選択ステップと、登録方法選択ステップで標準栽培パターンが選択されると、商品選択ステップで選択した商品名の商品について、標準栽培パターンを抽出する標準栽培パターン情報抽出ステップと、標準栽培パターン情報抽出ステップで抽出された標準栽培パターンの明細項目を、作業名別、肥料名別、及び農薬名別の表示として出力する明細表示ステップとを有するものである。本実施の形態によれば、管理者があらかじめ登録した標準栽培パターンを利用して新たな栽培履歴を入力できるので、栽培履歴の登録作業を簡素化できる。
【実施例】
【００２０】
以下本発明の一実施例による栽培履歴登録方法について説明する。
図１は本実施例による栽培履歴登録方法の処理流れを示す概念図である。
本実施例による栽培履歴登録方法は、出荷者認証ステップ１０、登録方法選択ステップ２０、商品選択ステップ３０、栽培基準選択ステップ４０、栽培履歴選択ステップ５０、栽培履歴入力ステップ６０、栽培履歴登録ステップ９０とからなる。
【００２１】
出荷者認証ステップ１０では出荷者が特定される。商品選択ステップ３０では出荷者が出荷する出荷商品が特定される。
登録方法選択ステップ２０では、新規登録２１と、履歴利用登録２２と、栽培パターン利用登録２３と、新規継続登録２４とを選択できる。
新規登録２１を選択すると、商品選択ステップ３０、栽培基準選択ステップ４０、栽培履歴入力ステップ６０、及び栽培履歴登録ステップ９０の順で処理が行われる。
履歴利用登録２２を選択すると、商品選択ステップ３０、栽培基準選択ステップ４０、栽培履歴選択ステップ５０、栽培履歴入力ステップ６０、及び栽培履歴登録ステップ９０の順で処理が行われる。
栽培パターン利用登録２３を選択すると、商品選択ステップ３０、栽培基準選択ステップ４０、栽培履歴入力ステップ６０、及び栽培履歴登録ステップ９０の順で処理が行われる。
新規継続登録２４を選択すると、商品選択ステップ３０、栽培基準選択ステップ４０、栽培履歴選択ステップ５０、栽培履歴入力ステップ６０、及び栽培履歴登録ステップ９０の順で処理が行われる。
【００２２】
栽培履歴入力ステップ６０では、基本項目７０と明細項目８０との入力を受け付ける。
基本項目７０には、出荷開始予定日７１と、出荷完了予定日７２と、圃場住所７３と、同一圃場住所７３の一部を使用して作付を行う場合に用いる区画７４と、作付の面積７５と、同一圃場で複数回の作付を行う場合に用いる作付回数７６とを有する。
出荷開始予定日７１及び出荷完了予定日７２の少なくとも一方が出荷予定日である。圃場住所７３が圃場情報である。圃場情報には、区画７４、面積７５、作付回数７６を含めることができる。
出荷開始予定日７１、出荷完了予定日７２、及び面積７５は、管理者による栽培履歴チェック処理で必須の項目である。圃場住所７３は栽培履歴登録ステップ９０で必須の項目である。
【００２３】
明細項目８０には、作業名８１と、肥料名８２と、農薬名８３とを有する。
作業名８１の項目は作業の実施日８４が入力され、肥料名８２の項目は作業の実施日８４と肥料の使用量８５が入力され、農薬名８３の項目には作業の実施日８４、農薬の使用方法８６、農薬の使用基準８７、農薬の散布液量８８、及び農薬の希釈倍数／使用量８９が入力される。
作業の実施日８４、農薬の使用基準８７、農薬の散布液量８８、及び農薬の希釈倍数／使用量８９は、管理者による栽培履歴チェック処理で必須の項目である。
【００２４】
図２から図５１は本実施例による栽培履歴登録方法を説明する画面イメージ図である。図２から図５１に示す画面イメージ図は、出荷者端末処理装置１３（図５７参照）で表示される。
【００２５】
図２及び図３は、出荷者認証ステップで表示される出荷者認証画面である。
出荷者カードを読み取り装置で識別するか、出荷者番号を入力することで個人認証を行う。出荷者認証を行った場合には次画面に遷移する。出荷者番号を入力した場合には、検索ボタンを指示することで氏名が表示される。氏名が正しければ「次へ」を指示し、「次へ」の指示によって次画面に遷移する。
【００２６】
図４は、登録方法選択ステップで表示される登録方法選択画面である。
新規登録２１を選択する場合には「あたらしく」を指示し、履歴利用登録２２を選択する場合には「今までの履歴を使って」を指示し、栽培パターン利用登録２３を選択する場合には「栽培パターンを使って」を指示し、新規継続登録２４を選択する場合には「つづきから」を指示する。
履歴利用登録２２を選択すると、既に出荷者自らが履歴登録したことがある商品を選択することができる。
栽培パターン利用登録２３を選択すると、出荷者自らが登録した履歴ではなく、管理者端末処理装置１２（図５７参照）によって管理者があらかじめ登録した標準栽培パターンを利用して履歴登録することができる。
【００２７】
図５から図４１を用いて、新規登録を選択した場合を説明する。
【００２８】
図５は登録方法選択画面であり、新規登録２１が指示された状態を示している。
図５に示すように、登録方法選択ステップ２０で「あたらしく」が指示されると、図６に示す商品選択画面に遷移する。
図６に示す商品選択画面では、出荷者が履歴登録したことがある商品の商品名が一覧表示される。
商品名は、登録された栽培回数が多い順に表示される。
新たに登録したい商品名が一覧表示で表示されない場合には、出荷者は「検索」を指示する。
【００２９】
図６に示す商品選択画面において、「検索」が指示されると、図７に示す画面に遷移する。
図７は商品検索画面である。
図７に示す商品検索画面では、５０音の表で商品名を検索できる。表示される商品名は商品データベース８Ｂ（図５７参照）にあらかじめ登録されている商品である。
図８は図７に示す商品検索画面で、商品名に「あま」の文字を入力した場合の検索結果を示している。
図８は、「あま」を商品名に含む「アマランサス」「甘長とうがらし」「甘夏みかん」及び「甘柿」が表示された状態を示している。
図９は、図８に示す商品検索画面で表示された「甘長とうがらし」が指示された状態を示している。
【００３０】
図１０は、栽培基準選択ステップで表示される栽培基準選択画面である。
栽培基準選択ステップ４０では、栽培方法による栽培基準を選択できる。栽培基準には、「露地・施設」のような栽培方法の他に、「有袋・無袋」、「春播き・秋播き」などの条件で栽培基準が分かれるものがある。
図１０では、「甘長とうがらし（露地栽培）」と「甘長とうがらし（施設栽培）」とが表示されている。
図１１は、図１０に示す栽培基準選択画面で表示された「甘長とうがらし（露地栽培）」が指示された状態を示している。
図１１に示す栽培基準選択画面において、「次へ」が指示されると、図１２に示す画面に遷移する。
【００３１】
図１２は、栽培履歴入力ステップで表示される栽培履歴入力画面である。
図１２に示すように、栽培履歴入力画面では、基本項目７０と明細項目８０の入力を促す入力欄が表示される。基本項目７０の入力欄は、出荷開始予定日７１、出荷完了予定日７２、圃場住所７３、区画７４、面積７５、及び作付回数７６である。明細項目８０は、作業、肥料、又は農薬の入力欄が複数ブランクで表示され、一つの入力欄には、「作業年月日」「作業名、肥料名、農薬名の区別」「使用時期」「使用方法」「適用病害虫雑草名」「散布液量」「希釈倍数／使用量」が入力される。
【００３２】
図１３は図１２に示す栽培履歴入力画面で、「出荷開始予定日」を指示した場合に表示されるカレンダーを示している。
出荷開始予定日７１が判明している場合には、「出荷開始予定日」を指示する。表示されたカレンダーで日付を選択し「ＯＫ」を指示することで出荷開始予定日欄に日付が表示される。出荷開始予定日７１は未入力でも登録は可能である。
【００３３】
図１４は図１２に示す栽培履歴入力画面で、「出荷完了予定日」を指示した場合に表示されるカレンダーを示している。
出荷完了予定日が判明している場合には、「出荷完了予定日」を指示する。表示されたカレンダーで日付を選択し「ＯＫ」を指示することで出荷完了予定日欄に日付が表示される。「出荷完了予定日」は未入力でも登録は可能である。
【００３４】
図１５は図１２に示す栽培履歴入力画面で、「圃場住所」を指示した場合に表示される圃場一覧リストを示している。
「圃場住所」を指示すると、出荷者自らの登録されている圃場の一覧が表示される。圃場一覧リストは、住所とともに面積７５が表示される。表示された圃場一覧リストで該当する圃場を指示することで、指示された住所が圃場住所欄に、面積が面積欄に表示される。圃場住所７３が未入力であると登録できない。
【００３５】
図１６は図１２に示す栽培履歴入力画面で、「区画」を指示した場合に表示されるテンキーを示している。
圃場住所７３の一部を使用して作付を行った場合や、同じ圃場内で同じ商品を栽培していた場合など、圃場に区別を付ける必要がある場合には、「圃場区画」を指示する。表示されたテンキーで数字を選択し「ＯＫ」を指示することで圃場区画欄に区画数が表示される。「圃場区画」は任意の入力項目である。
【００３６】
図１７は図１２に示す栽培履歴入力画面で、「面積」を指示した場合に表示されるテンキーを示している。
面積７５は圃場を選択することで自動で入力されるが、実際は圃場の一部しか使用していない場合には、「面積」を指示する。表示されたテンキーで実際の面積７５を選択し「ＯＫ」を指示することで面積欄に面積７５が表示される。農薬の使用チェックは、面積欄に入力された面積７５から単位面積当たりの農薬の使用量を計算して行われる。
【００３７】
図１８は図１２に示す栽培履歴入力画面で、「作付回数」を指示した場合に表示されるテンキーを示している。
同じ圃場住所７３で単年度に複数回同じ商品の作付を行った場合など、圃場に区別を付ける必要がある場合には、「作付回数」を指示する。表示されたテンキーで数字を選択し「ＯＫ」を指示することで作付回数欄に作付回数７６が表示される。作付回数７６は任意の入力項目である。
【００３８】
図１９は図１２に示した栽培履歴入力画面である。
図１９に示すように、栽培履歴入力画面には、作業名８１、肥料名８２、及び農薬名８３を入力するための入力キー「作業」「肥料」「農薬」が表示されている。
作業名８１、肥料名８２、及び農薬名８３の入力キー「作業」「肥料」「農薬」を指示することで、明細項目８０に必要事項を入力することができる。
【００３９】
図２０は、図１９に示す栽培履歴入力画面において、入力キー「作業」を指示した場合に表示される作業選択画面である。
図２０に示す作業選択画面では、「履歴」と「全体」とを選択できる指示欄が表示されている。
「履歴」を選択した場合には、出荷者自らが、今回登録しようとしている商品に関して、既に登録されている栽培履歴で登録している作業名８１が表示される。
「全体」を選択した場合には、作業データベース８Ｄ（図５７参照）に登録され、全ての作業名８１が表示される。
【００４０】
図２１は図２０に示す作業選択画面で、検索欄に「は」の文字を入力した場合の検索結果を示している。
このように、表示される作業名８１が多い場合には、５０音検索キーを用いて絞り込みが可能である。
図２１は、「は」から始まる作業名８１である「ハウス管理」「は種」「鉢上」「伐採」「伐倒」「培地調整」及び「培土」が表示された状態を示している。
【００４１】
図２２は、図２１に示す作業選択画面で表示された「は種」が指示された場合の入力状態を示す栽培履歴入力画面である。
図２２に示すように、明細項目８０に「は種」が入力される。
【００４２】
図２３は図２２に示す栽培履歴入力画面で、「は種」が入力された明細項目８０について「作業年月日」を指示した場合に表示されるカレンダーを示している。表示されたカレンダーで日付を選択し「ＯＫ」を指示することで作業年月日欄に日付が表示される。「作業年月日」は未入力でも他の入力作業は可能である。
【００４３】
図２４は、図２３に示す栽培履歴入力画面で「は種」が入力された明細項目８０に「作業年月日」を入力した状態を示す栽培履歴入力画面である。
図２４に示すように、「は種」の明細項目８０には作業の実施日８４が入力される。
【００４４】
図２５は、図２４に示す栽培履歴入力画面において、入力キー「肥料」を指示した場合に表示される肥料選択画面である。
図２５に示す肥料選択画面では、「履歴」と「推奨」と「全体」とを選択できる指示欄が表示されている。
「履歴」を選択した場合には、出荷者自らが、今回登録しようとしている商品に関して、既に登録されている栽培履歴で登録している肥料名８２が表示される。
「推奨」を選択した場合には、管理者が、使用を推奨している肥料名８２が表示される。使用を推奨している肥料名８２は、管理者端末処理装置１２（図５７参照）によって管理者があらかじめ登録している。
「全体」を選択した場合には、肥料データベース８Ｅ（図５７参照）に登録され、全ての肥料名８２が表示される。
【００４５】
図２６は図２５に示す肥料選択画面で、検索欄に「けん」の文字を入力した場合の検索結果を示している。
このように、表示される肥料名８２が多い場合には、５０音検索キーを用いて絞り込みが可能である。
図２６は、「けん」を含む肥料名である「県連配合１１号  ３０Ｋ」「県連配合６号  ３０Ｋ」・・「県連配合スーパー有機  ２０Ｋ」などが表示された状態を示している。
【００４６】
図２７は、図２６に示す肥料選択画面で表示された「県連配合６号  ３０Ｋ」が指示された場合の入力状態を示す栽培履歴入力画面である。
図２７に示すように、明細項目８０に「県連配合６号  ３０Ｋ」が入力される。
【００４７】
図２８は図２７に示す栽培履歴入力画面で、「県連配合６号  ３０Ｋ」が入力された明細項目８０について「作業年月日」を指示した場合に表示されるカレンダーを示している。表示されたカレンダーで日付を選択し「ＯＫ」を指示することで作業年月日欄に日付が表示される。「作業年月日」は未入力でも他の入力作業は可能である。
【００４８】
図２９は図２７に示す栽培履歴入力画面で、「県連配合６号  ３０Ｋ」が入力された明細項目８０について「使用量」を指示した場合に表示されるテンキーを示している。表示されたテンキーで数値を選択し「ＯＫ」を指示することで使用量欄に使用量が表示される。「使用量」には作付の面積７５に応じた数値を入力する。
【００４９】
図３０は、図２９に示す栽培履歴入力画面で「県連配合６号  ３０Ｋ」が入力された明細項目８０に「使用量」を入力した状態を示す栽培履歴入力画面である。
図３０に示すように、「県連配合６号  ３０Ｋ」の明細項目８０には使用量が入力される。
【００５０】
図３１は、図３０に示す栽培履歴入力画面において、農薬名８３に該当する入力キー「農薬」を指示した場合に表示される農薬選択画面である。
図３１に示す農薬選択画面では、「履歴」と「推奨」と「全体」とを選択できる指示欄が表示されている。
「履歴」を選択した場合には、出荷者自らが、今回登録しようとしている商品に関して、既に登録されている栽培履歴で登録している農薬名８３が表示される。
「推奨」を選択した場合には、今回登録しようとしている商品に関して、管理者が、使用を推奨している農薬名８３が表示される。使用を推奨している農薬名８３は、管理者端末処理装置１２（図５７参照）によって管理者があらかじめ登録している。
「全体」を選択した場合には、農薬データベース８Ａ（図５７参照）に登録され、今回登録しようとしている商品に関して用いることができる全ての農薬名８３が表示される。
【００５１】
図３２は図３１に示す農薬選択画面で、検索欄に「べん」の文字を入力した場合の検索結果を示している。
このように、表示される農薬名８３が多い場合には、５０音検索キーを用いて絞り込みが可能である。
図３２は、「べん」を含む農薬名８３である「ＧＦベンレート水和剤」「ベンレート水和剤２０」「ベンレート水和剤」「モベントフロアブル」が表示された状態を示している。
【００５２】
図３３は、図３２に示す農薬選択画面で表示された「ベンレート水和剤」が指示された場合を示す使用方法選択画面である。
農薬名８３が指示されると、図３３に示すように、その農薬に関する複数の使用方法が表示される。指示された農薬について、一つの使用方法しか存在しない場合には、図３３に示す使用方法選択画面は表示されない。
【００５３】
図３４は、図３３に示す使用方法選択画面で表示された使用方法から「散布」が指示された場合の使用基準選択画面である。
図３４に示すように、その農薬の使用方法８６に関する使用基準が表示される。図３４では一つの使用基準しかない場合を示しているが、使用基準が複数ある場合には、複数の使用基準が表示され、いずれかの使用基準を選択する。
【００５４】
図３５は、図３４に示す使用基準選択画面で表示された使用基準の中から該当する使用基準が指示された場合の入力状態を示す栽培履歴入力画面である。
図３５に示すように、明細項目８０に「ベンレート水和剤」「収穫前日まで」「散布」「炭疽病」が入力される。
また、入力された農薬について使用時期に制約がある場合には、図３５に示すように、制約のある使用時期に関する明細項目８０ｘが自動的に追加される。
すなわち、明細項目８０に「収穫前日まで」と入力されるため、作業名８１の明細項目８０ｘとして収穫が追加表示される。
【００５５】
図３６は、使用基準が複数ある場合の使用基準選択画面である。
図３６に示すように、適用対象とする病害虫又は雑草によって使用基準が異なる場合がある。
【００５６】
図３７は図３５に示す栽培履歴入力画面で、「収穫」が入力された明細項目８０ｘについて「作業年月日」を指示した場合に表示されるカレンダーを示している。表示されたカレンダーで日付を選択し「ＯＫ」を指示することで作業年月日欄に日付が表示される。「作業年月日」は未入力でも他の入力作業は可能である。
【００５７】
図３８は図３５に示す栽培履歴入力画面で、「ベンレート水和剤」「収穫前日まで」「散布」「炭疽病」が入力された明細項目８０について「散布液量」を指示した場合に表示されるテンキーを示している。表示されたテンキーで数値を選択し「ＯＫ」を指示することで散布液量欄に散布液量が表示される。「散布液量」には、単位面積に応じた数値を入力する。
【００５８】
図３９は図３５に示す栽培履歴入力画面で、「ベンレート水和剤」「収穫前日まで」「散布」「炭疽病」が入力された明細項目８０について「希釈倍数／使用量」を指示した場合に表示されるテンキーを示している。表示されたテンキーで数値を選択し「ＯＫ」を指示することで希釈倍数／使用量欄に希釈倍数又は使用量が表示される。「希釈倍数／使用量」には、単位に応じた数値を入力する。
【００５９】
図４０は、図３５に示す栽培履歴入力画面で「ベンレート水和剤」「収穫前日まで」「散布」「炭疽病」が入力された明細項目８０に「作業年月日」「散布液量」「希釈倍数／使用量」を入力した状態を示す栽培履歴入力画面である。
図４０に示すように、「ベンレート水和剤」「収穫前日まで」「散布」「炭疽病」が入力された明細項目８０には、「作業年月日」「散布液量」「希釈倍数／使用量」が入力される。
図４０に示す栽培履歴入力画面で、「登録」を指示することで、図４１に示す登録確認画面が表示され、「はい」を指示することで登録を行うことができる。
【００６０】
図４２から図４６を用いて、履歴利用登録を選択した場合を説明する。
図４２は登録方法選択画面であり、履歴利用登録２２が指示された状態を示している。
図４２に示すように、登録方法選択ステップ２０で「今までの履歴を使って」が指示されると、図４３に示す商品選択画面に遷移する。
図４３に示す商品選択画面では、出荷者が履歴登録したことがある商品の商品名が一覧表示される。商品名は、登録された栽培回数が多い順に表示される。
【００６１】
図４３に示す商品選択画面において、いずれかの商品が指示されると、図４４に示す栽培履歴選択画面に遷移する。
図４４に示すように、栽培履歴選択画面では、出荷者自らが、今回登録しようとしている商品に関して、既に登録されている栽培履歴が一覧表示される。
なお、指示した商品について、複数の栽培基準が有る場合には、図１０に示す栽培基準選択画面に遷移する。そして、図１１に示すように、栽培基準を選択すると、図４４に示す栽培履歴選択画面では、出荷者自らが、今回登録しようとしている商品及び栽培基準に関して、既に登録されている栽培履歴が一覧表示される。
それぞれの栽培履歴については、作業状態区分、出荷開始予定日７１、出荷完了予定日７２、圃場住所７３、区画７４、面積７５、及び栽培回数が表示される。
ここで、作業状態区分は、作付中、出荷中、又は出荷完了のいずれかに作業状態を区分したものである。
【００６２】
図４４に示す栽培履歴選択画面において、参照したい栽培履歴を選択し「次へ」を指示することで、図４５に示す栽培履歴入力画面に遷移する。
図４５に示すように、栽培履歴入力画面では、選択した過去の履歴の明細項目８０が表示されている。
なお、基本項目７０に関する出荷開始予定日７１及び出荷完了予定日７２の入力欄、及び明細項目８０に関する作業の実施日８４の入力欄は、空白になっており、新規に入力すべきことを促している。
変更の必要がある内容については、該当する入力欄を指示することで変更することができる。
図４５では、５つの明細項目８０が表示されている。明細項目８０ａ、８０ｂ、８０ｃには農薬が入力されている。
明細項目８０ａ、８０ｂで表示されている農薬は現在登録失効になっているとすると、明細項目８０ａ、８０ｂは、明細項目８０ｃと異なる表示をしている。
このように、現在登録失効や使用禁止に該当することとなった農薬については、警告表示を行う。
【００６３】
図４６は図４５に示した栽培履歴入力画面である。
図４６に示すように、栽培履歴入力画面には、作業名８１、肥料名８２、及び農薬名８３を入力するための入力キーが表示されている。
作業名８１、肥料名８２、及び農薬名８３の入力キーを指示することで、明細項目８０に必要事項を入力することができる。作業名８１、肥料名８２、及び農薬名８３の入力及び登録については図２０から図４１と同様である。
それぞれの明細項目８０については、削除と複写とを行える。今回の栽培で実施しなかった明細項目８０については、その明細項目８０に対応させて表示している「Ｘ」を指示することで削除を行える。
また、明細項目８０を複写する場合には、「Ｏ」を指示することで複写を行うことができる。
【００６４】
図４７から図４９を用いて、栽培パターン利用登録を選択した場合を説明する。
図４７は登録方法選択画面であり、栽培パターン利用登録が指示された状態を示している。
【００６５】
図４７に示すように、登録方法選択ステップ２０で「栽培パターンを使って」が指示されると、図４８に示す商品選択画面に遷移する。
図４８に示す商品選択画面では、出荷者が履歴登録したことがある商品の商品名が一覧表示される。商品名は、登録された栽培回数が多い順に表示される。
【００６６】
図４８に示す商品選択画面において、いずれかの商品が指示されると、図４９に示す栽培履歴入力画面に遷移する。
図４９に示すように、栽培履歴入力画面では、標準栽培パターンの明細項目８０が表示されている。
なお、基本項目７０に関する出荷開始予定日７１、出荷完了予定日７２、圃場住所７３、面積７５、作付回数７６の入力欄、及び明細項目８０に関する作業の実施日８４、肥料の使用量８５、農薬の散布液量８８、及び農薬の希釈倍数／使用量８９の入力欄は、空白になっており、新規に入力すべきことを促している。
変更の必要がある内容については、該当する入力欄を指示することで変更することができる。
図４９に示すように、栽培履歴入力画面には、作業名８１、肥料名８２、及び農薬名８３を入力するための入力キーが表示されている。
作業名８１、肥料名８２、及び農薬名８３の入力キーを指示することで、明細項目８０に必要事項を入力することができる。作業名８１、肥料名８２、及び農薬名８３の入力及び登録については図２０から図４１と同様である。
それぞれの明細項目８０については、削除と複写とを行える。今回の栽培で実施しなかった明細項目８０については、その明細項目８０に対応させて表示している「Ｘ」を指示することで削除を行える。
また、明細項目８０を複写する場合には、「Ｏ」を指示することで複写を行うことができる。
【００６７】
図５０及び図５１を用いて、新規継続登録を選択した場合を説明する。
図５０は登録方法選択画面であり、新規継続登録が指示された状態を示している。
【００６８】
図５０に示すように、登録方法選択ステップ２０で「つづきから」が指示されると、図５１に示す栽培履歴入力画面に遷移する。
新規継続登録２４では、現在栽培中の商品に限定して登録作業が行える。
図５１に示すように、栽培履歴入力画面では、前回登録した明細項目８０が表示されている。
未入力の内容、及び変更の必要がある内容については、該当する入力欄を指示することで入力又は変更できる。
図５１に示すように、栽培履歴入力画面には、作業名８１、肥料名８２、及び農薬名８３を入力するための入力キー「作業」「肥料」「農薬」が表示されている。
作業名８１、肥料名８２、及び農薬名８３の入力キー「作業」「肥料」「農薬」を指示することで、明細項目８０に必要事項を入力することができる。作業名８１、肥料名８２、及び農薬名８３の入力及び登録については図２０から図４１と同様である。
それぞれの明細項目８０については、削除と複写とを行える。今回の栽培で実施しなかった明細項目８０については、その明細項目８０に対応させて表示している「Ｘ」を指示することで削除を行える。
また、明細項目８０を複写する場合には、「Ｏ」を指示することで複写を行うことができる。
【００６９】
図５２から図５６は本実施例による栽培履歴登録方法の処理流れを示すフローチャートである。
【００７０】
図５２で示す商品選択ステップ３０は、図１に示す登録方法選択ステップ２０において、新規登録２１、履歴利用登録２２、栽培パターン利用登録２３、又は新規継続登録２４のいずれかが選択された場合に行われる。
商品選択ステップ３０では、栽培履歴情報抽出ステップ３１と、商品名抽出ステップ３２と、栽培回数算出ステップ３３と、商品名表示ステップ３４とを有する。
栽培履歴情報抽出ステップ３１では、図１に示す出荷者認証ステップ１０で認証された出荷者が過去に登録した栽培履歴の情報を栽培履歴データベース８Ｇ（図５７参照）から抽出する。
商品名抽出ステップ３２では、栽培履歴情報抽出ステップ３１で抽出された栽培履歴から、履歴登録のある商品名を抽出する。
栽培回数算出ステップ３３は、履歴登録のある商品名別に栽培回数を算出する。
商品名表示ステップ３４では、商品名抽出ステップ３２で抽出された商品名を、栽培回数算出ステップ３３で算出された栽培回数が多い順に一覧表示として出力する。
図６、図４３、及び図４８は、商品名表示ステップ３４で出力した一覧表示を示し、図６、図４３、及び図４８に示す商品選択画面は、出荷商品の商品名の選択を促すものである。
【００７１】
図５２で示す栽培基準選択ステップ４０は、商品選択ステップ３０の結果表示される商品選択画面（図６、図４３、図４８）で商品が選択された場合に行われる。
栽培基準選択ステップ４０では、商品選択ステップ３０で選択された商品について複数の栽培基準が有るか否かを判断する判断ステップ４１と、判断ステップ４１で複数の栽培基準がある場合には、栽培基準を一覧表示として出力する栽培基準表示ステップ４２とを有する。
図１０は、栽培基準表示ステップ４２で出力した一覧表示を示し、図１０に示す栽培基準選択画面は、商品に使用する栽培基準の選択を促すものである。
【００７２】
図５２で示す栽培履歴選択ステップ５０は、商品選択ステップ３０の結果表示される商品選択画面（図６、図４３、図４８）で商品が選択された場合、判断ステップ４１で複数の栽培基準があれば、栽培基準選択ステップ４０の結果表示される栽培基準選択画面（図１０）で栽培基準が選択された場合に行われる。
栽培履歴選択ステップ５０では、特定商品栽培履歴情報抽出ステップ５１と、作業状態区分ステップ５２と、栽培履歴表示ステップ５３とを有する。
特定商品栽培履歴情報抽出ステップ５１では、商品選択ステップ３０で選択された商品についての栽培履歴の情報を、栽培履歴情報抽出ステップ３１で抽出された栽培履歴から抽出する。
作業状態区分ステップ５２では、特定商品栽培履歴情報抽出ステップ５１で抽出された個々の栽培履歴について、作付中、出荷中、又は出荷完了のいずれかに作業状態を区分する。
栽培履歴表示ステップ５３では、特定商品栽培履歴情報抽出ステップ５１で抽出した栽培履歴を、作業状態区分ステップ５２で区分した作業状態とともに一覧表示として出力する。
図４４は、栽培履歴表示ステップ５３で出力した一覧表示を示し、図４４に示す栽培履歴選択画面は、商品選択ステップ３０で選択した商品名の商品について、登録済みの過去の栽培履歴の中から一つの栽培履歴の選択を促すものである。
このように、出荷者自らが登録している栽培履歴情報を利用できるので栽培履歴の登録作業が簡素化でき、また栽培回数が多い順に商品名が表示されるため、必要とする栽培履歴を抽出しやすい。
また、判断ステップ４１で複数の栽培基準があれば、図４４に示す栽培履歴選択画面は、栽培基準選択ステップ４０で選択された栽培基準についての栽培履歴の選択を促すものである。
このように、同じ商品でも、例えば露地栽培と施設栽培のように栽培基準が複数存在する場合に、最適な栽培履歴を選択できる。
図５３で示す栽培履歴入力ステップ６０は、栽培履歴選択ステップ５０の結果表示される栽培履歴選択画面（図４４）で栽培履歴が選択された場合に行われる。
【００７３】
栽培履歴入力ステップ６０では、特定栽培履歴情報抽出ステップ１６１と、明細表示ステップ１６２と、明細項目選択ステップ１６３と、明細項目削除ステップ１６４と、明細項目追加ステップ１６５と、明細項目入力ステップ１６６とを有する。
特定栽培履歴情報抽出ステップ１６１では、栽培履歴選択ステップ５０で選択された一つの栽培履歴の情報を、特定商品栽培履歴情報抽出ステップ５１で抽出された栽培履歴から抽出する。
明細表示ステップ１６２では、特定栽培履歴情報抽出ステップ１６１で抽出された一つの栽培履歴の明細項目８０を、作業名８１別、肥料名８２別、及び農薬名８３別の表示として出力する。
明細項目選択ステップ１６３では、明細表示ステップ１６２で作成された明細項目８０を、作業名８１別、肥料名８２別、及び農薬名８３別に、「削除」と「複写」とを表示することで、削除と複写との選択を促す。
明細項目削除ステップ１６４では、明細項目選択ステップ１６３で削除が選択されると、削除が選択された明細項目８０を削除して非表示とする。
明細項目追加ステップ１６５では、明細項目選択ステップ１６３で複写が選択されると、複写が選択された明細項目８０を複写して新たな明細項目８０を追加して新規表示する。
明細項目入力ステップ１６６では、明細表示ステップ１６２で作成された明細項目８０について、作業年月日を空白とすることで作業年月日の入力を促す。
このように、一つの栽培履歴の明細項目８０が、作業名８１別、肥料名８２別、及び農薬名８３別で表示され、表示された明細項目８０単位で削除と複写が可能であるため、栽培履歴の登録作業を簡素化できる。
【００７４】
図５４で示す栽培履歴入力ステップ６０は、栽培履歴選択ステップ５０の結果表示される栽培履歴選択画面（図４４）で栽培履歴が選択された場合に行われる。
栽培履歴入力ステップ６０では、作業入力ステップ１６７と、作業名表示選択ステップ１６８と、作業名抽出ステップ１６９と、登録作業名一覧表示ステップ１７０とを有する。
作業入力ステップ１６７では、指示を可能とする「作業」を表示することで、明細表示ステップ１６２で作成された明細項目８０以外の作業の入力を促す。
作業名表示選択ステップ１６８では、作業入力ステップ１６７で作業が入力指示されると、指示を可能とする「履歴」を表示することで、履歴の選択を促す（図２０参照）。
作業名抽出ステップ１６９では、作業名表示選択ステップ１６８で「履歴」が選択されると、特定商品栽培履歴情報抽出ステップ５１で抽出した栽培履歴に登録している作業名８１を抽出する。
登録作業名一覧表示ステップ１７０では、作業名抽出ステップ１６９で抽出した作業名８１を一覧表示として出力する。
このように、選択した過去の栽培履歴では行わなかった作業の追加を、選択しなかった過去の栽培履歴で登録している情報を利用して行えるので、新たな作業の追加を容易に行える。
【００７５】
図５５で示す栽培履歴入力ステップ６０は、栽培履歴選択ステップ５０の結果表示される栽培履歴選択画面（図４４）で栽培履歴が選択された場合に行われる。
栽培履歴入力ステップ６０では、肥料入力ステップ１７１と、肥料内容表示選択ステップ１７２と、肥料内容抽出ステップ１７３と、推奨肥料内容抽出ステップ１７４と、全肥料内容抽出ステップ１７５と、登録肥料名一覧表示ステップ１７６とを有する。
肥料入力ステップ１７１では、指示を可能とする「肥料」を表示することで、明細表示ステップ１６２で作成された明細項目８０以外の肥料の入力を促す。
肥料内容表示選択ステップ１７２では、肥料入力ステップ１７１で肥料が入力指示されると、指示を可能とする「履歴」「推奨」「全体」を表示することで、「履歴」「推奨」「全体」の選択を促す（図２５参照）。
肥料内容抽出ステップ１７３では、肥料内容表示選択ステップ１７２で「履歴」が選択されると、特定商品栽培履歴情報抽出ステップ５１で抽出した栽培履歴に登録している肥料名８２を抽出する。
推奨肥料内容抽出ステップ１７４では、肥料内容表示選択ステップ１７２で「推奨」が選択されると、肥料データベース８Ｅ（図５７参照）に登録している肥料名８２の中であらかじめ管理者が推奨する肥料として登録している肥料名８２を抽出する。
全肥料内容抽出ステップ１７５では、肥料内容表示選択ステップ１７２で「全体」が選択されると、肥料データベース８Ｅ（図５７参照）に登録している全ての肥料名８２を抽出する。
登録肥料名一覧表示ステップ１７６では、肥料内容抽出ステップ１７３で抽出した肥料名８２、推奨肥料内容抽出ステップ１７４で抽出した肥料名８２、又は全肥料内容抽出ステップ１７５で抽出した肥料名８２を一覧表示として出力する。
このように、選択した過去の栽培履歴では用いなかった肥料の追加を、選択しなかった過去の栽培履歴で登録している情報を利用して行えるので、新たな肥料の追加を容易に行える。
また、選択した過去の栽培履歴では用いなかった肥料の追加を、肥料データベース８Ｅ（図５７参照）に登録している情報を利用して行え、更に全肥料と推奨肥料とを選択して抽出できるので、新たな肥料の追加を容易に行える。
【００７６】
図５６で示す栽培履歴入力ステップ６０は、栽培履歴選択ステップ５０の結果表示される栽培履歴選択画面（図４４）で栽培履歴が選択された場合に行われる。
栽培履歴入力ステップ６０では、農薬入力ステップ１７７と、農薬内容表示選択ステップ１７８と、農薬内容抽出ステップ１７９と、推奨農薬内容抽出ステップ１８０と、全農薬内容抽出ステップ１８１と、登録農薬名一覧表示ステップ１８２とを有する。
農薬入力ステップ１７７では、指示を可能とする「農薬」を表示することで、明細表示ステップ１６２で作成された明細項目８０以外の農薬の入力を促す。
農薬内容表示選択ステップ１７８では、農薬入力ステップ１７７で農薬が入力指示されると、指示を可能とする「履歴」「推奨」「全体」を表示することで、「履歴」「推奨」「全体」の選択を促す（図３１参照）。
農薬内容抽出ステップ１７９では、農薬内容表示選択ステップ１７８で「履歴」が選択されると、特定商品栽培履歴情報抽出ステップ５１で抽出した栽培履歴に登録している農薬名８３を抽出する。
推奨農薬内容抽出ステップ１８０では、農薬内容表示選択ステップ１７８で「推奨」が選択されると、農薬データベース８Ａ（図５７参照）に登録している農薬名８３の中であらかじめ管理者が推奨する農薬として登録している農薬名８３を抽出する。
全農薬内容抽出ステップ１８１では、農薬内容表示選択ステップ１７８で「全体」が選択されると、農薬データベース８Ａ（図５７参照）に登録している農薬の全ての農薬名８３を抽出する。
登録農薬名一覧表示ステップ１８２では、農薬内容抽出ステップ１７９で抽出した農薬名８３、推奨農薬内容抽出ステップ１８０で抽出した農薬名８３、又は全農薬内容抽出ステップ１８１で抽出した農薬名８３を一覧表示として出力する。
【００７７】
図５７は本実施例による栽培履歴登録方法に用いる機能実現手段を示すブロック図である。
本実施例による栽培履歴登録方法を実現するサーバー１は、定期更新変更手段２、農薬情報変換手段３、商品選択手段４、栽培基準選択手段５、栽培履歴選択手段６、栽培履歴入力手段７、及びデータベース８を備えている。
サーバー１は、例えばインターネットなどの通信網を介して、農薬情報データベース１１、管理者端末処理装置１２、及び出荷者端末処理装置１３と接続されている。
定期更新変更手段２は、外部のデータベースである農薬情報データベース１１から定期的にデータを入手し、追加、変更、失効された農薬データを農薬データベース８Ａに登録する。
農薬情報変換手段３は、農薬情報データベース１１から入手したデータを変換する。
定期更新変更手段２で入手した追加、変更、失効された農薬データは、農薬情報変換手段３によって変換されて農薬データベース８Ａに登録される。
【００７８】
商品選択手段４は、栽培履歴情報抽出手段４Ａと、商品名抽出手段４Ｂと、栽培回数算出手段４Ｃと、商品名一覧表示手段４Ｄとを有する。
栽培基準選択手段５は、栽培基準の有無判断手段５Ａと栽培基準の一覧表示手段５Ｂとを有する。
栽培履歴選択手段６は、特定商品栽培履歴情報抽出手段６Ａと、作業状態区分手段６Ｂと、栽培履歴一覧表示手段６Ｃとを有する。
栽培履歴入力手段７は、特定栽培履歴情報抽出手段７Ａと、削除手段７Ｂと、複写手段７Ｃと、作業名抽出手段７Ｄと、肥料名抽出手段７Ｅと、農薬名抽出手段７Ｆと、表示手段７Ｇとを有する。
データベース８は、農薬データベース８Ａと、商品データベース８Ｂと、圃場データベース８Ｃと、作業データベース８Ｄと、肥料データベース８Ｅと、標準栽培パターンデータベース８Ｆと、栽培履歴データベース８Ｇとを有する。
【００７９】
栽培履歴情報抽出手段４Ａは、出荷者認証ステップ１０で認証された出荷者が過去に登録した栽培履歴の情報を栽培履歴データベース８Ｇから抽出する。
商品名抽出手段４Ｂは、栽培履歴情報抽出手段４Ａで抽出した栽培履歴から、履歴登録のある商品名を抽出する。
栽培回数算出手段４Ｃは、栽培履歴情報抽出手段４Ａで抽出した栽培履歴から、履歴登録のある商品名別に栽培回数を算出する。
商品名一覧表示手段４Ｄは、商品名抽出手段４Ｂで抽出した商品名を、栽培回数算出手段４Ｃで算出した栽培回数が多い順に一覧表示として出力する。
【００８０】
栽培基準の有無判断手段５Ａは、栽培履歴情報抽出手段４Ａで抽出した栽培履歴から、商品選択ステップ３０で選択された商品について複数の栽培基準が有るか否かを判断する。
栽培基準の一覧表示手段５Ｂは、栽培基準の有無判断手段５Ａで複数の栽培基準がある場合には、栽培基準を一覧表示として出力する。
【００８１】
特定商品栽培履歴情報抽出手段６Ａは、商品選択ステップ３０で選択された商品についての栽培履歴の情報を、栽培履歴情報抽出手段４Ａで抽出した栽培履歴から抽出する。
作業状態区分手段６Ｂは、特定商品栽培履歴情報抽出手段６Ａで抽出した個々の栽培履歴について、作付中、出荷中、又は出荷完了のいずれかに作業状態を区分する。
栽培履歴一覧表示手段６Ｃは、特定商品栽培履歴情報抽出手段６Ａで抽出した栽培履歴を、作業状態区分手段６Ｂで区分した作業状態とともに一覧表示として出力する。
【００８２】
特定栽培履歴情報抽出手段７Ａは、栽培履歴選択ステップ５０で選択された一つの栽培履歴の情報を、特定商品栽培履歴情報抽出手段６Ａで抽出された栽培履歴から抽出する。
削除手段７Ｂは、明細項目選択ステップ１６３で削除が選択されると、削除が選択された明細項目８０を削除して非表示とする。
複写手段７Ｃは、明細項目選択ステップ１６３で複写が選択されると、複写が選択された明細項目８０を複写して新たな明細項目８０を追加して新規表示する。
作業名抽出手段７Ｄは、作業名表示選択ステップ１６８で「履歴」が選択されると、特定商品栽培履歴情報抽出手段６Ａで抽出した栽培履歴に登録している作業名８１を抽出する。
肥料名抽出手段７Ｅは、肥料内容表示選択ステップ１７２で「履歴」が選択されると、特定商品栽培履歴情報抽出手段６Ａで抽出した栽培履歴に登録している肥料名８２を抽出する。
また、肥料名抽出手段７Ｅは、肥料内容表示選択ステップ１７２で「推奨」が選択されると、肥料データベース８Ｅに登録している肥料名８２の中であらかじめ管理者が推奨する肥料として登録している肥料名８２を抽出する。
また、肥料名抽出手段７Ｅは、肥料内容表示選択ステップ１７２で「全体」が選択されると、肥料データベース８Ｅに登録している全ての肥料名８２を抽出する。
農薬名抽出手段７Ｆは、農薬内容表示選択ステップ１７８で「履歴」が選択されると、特定商品栽培履歴情報抽出手段６Ａで抽出した栽培履歴に登録している農薬名８３を抽出する。
また、農薬名抽出手段７Ｆは、農薬内容表示選択ステップ１７８で「推奨」が選択されると、農薬データベース８Ａに登録している農薬名の中であらかじめ管理者が推奨する農薬として登録している農薬名８３を抽出する。
また、農薬名抽出手段７Ｆは、農薬内容表示選択ステップ１７８で「全体」が選択されると、農薬データベース８Ａに登録している農薬の全ての農薬名８３を抽出する。
表示手段７Ｇは、特定栽培履歴情報抽出手段７Ａで抽出した一つの栽培履歴の明細項目８０を、作業名８１別、肥料名８２別、及び農薬名８３別の表示として出力する。
また、表示手段７Ｇは、明細項目入力ステップ１６６では、明細表示ステップ１６２で作成された明細項目８０について、作業年月日を空白として出力する。
また、表示手段７Ｇは、指示を可能とする「作業」「肥料」「農薬」を表示する。
また、表示手段７Ｇは、作業入力ステップ１６７で作業が入力指示されると、指示を可能とする「履歴」「全体」を表示する。
また、表示手段７Ｇは、登録作業名一覧表示ステップ１７０では、作業名抽出ステップ１６９で抽出した作業名８１を一覧表示として出力する。
また、表示手段７Ｇは、肥料入力ステップ１７１で肥料が入力指示されると、指示を可能とする「履歴」「推奨」「全体」を表示する。
また、表示手段７Ｇは、肥料内容抽出ステップ１７３で抽出した肥料名８２、推奨肥料内容抽出ステップ１７４で抽出した肥料名８２、又は全肥料内容抽出ステップ１７５で抽出した肥料名８２を一覧表示として出力する。
また、表示手段７Ｇは、農薬入力ステップ１７７で農薬が入力指示されると、指示を可能とする「履歴」「推奨」「全体」を表示する。
また、表示手段７Ｇは、農薬内容抽出ステップ１７９で抽出した農薬名８３、推奨農薬内容抽出ステップ１８０で抽出した農薬名８３、又は全農薬内容抽出ステップ１８１で抽出した農薬名８３を一覧表示として出力する。
【００８３】
農薬データベース８Ａは、農薬情報変換手段３によって変換された農薬情報データベース１１からの農薬データを蓄積している。農薬データベース８Ａは、定期更新変更手段２によって定期的に更新され、変更や失効された農薬は、変更及び失効情報として追加している。また、管理者が推奨する農薬については、推奨情報が付加されている。
商品データベース８Ｂは、あらかじめ分類された商品名を登録している。
圃場データベース８Ｃは、圃場単位で、出荷者名、圃場住所７３、面積７５、及び登録日が登録されている。
作業データベース８Ｄは、栽培に必要な作業名８１が登録されている。。
肥料データベース８Ｅは、肥料名８２が、製造業者名、肥料種類、肥料内容、及び登録日が登録されている。管理者が推奨する肥料については、推奨情報が付加されている。
標準栽培パターンデータベース８Ｆは、管理者があらかじめ登録した標準栽培パターンであり、商品名及び栽培基準別に栽培パターンが登録されている。
栽培履歴データベース８Ｇは、出荷者が登録した栽培履歴が登録されている。
【００８４】
本実施例によれば、登録済みの過去の栽培履歴を利用して新たな栽培履歴を入力できるので、栽培履歴の登録作業を簡素化できる。
【産業上の利用可能性】
【００８５】
本発明の栽培履歴登録方法によれば、トレーサビリティシステムの優位性を高め、生産者情報として活用できる。
【符号の説明】
【００８６】
１０  出荷者認証ステップ
２０  登録方法選択ステップ
２１  新規登録
２２  履歴利用登録
２３  栽培パターン利用登録
２４  新規継続登録
３０  商品選択ステップ
４０  栽培基準選択ステップ
５０  栽培履歴選択ステップ
６０  栽培履歴入力ステップ
７０  基本項目
７１  出荷開始予定日
７２  出荷完了予定日
７３  圃場住所
７４  区画
７５  面積
７６  作付回数
８０  明細項目
８１  作業名
８２  肥料名
８３  農薬名
８４  作業の実施日
８５  肥料の使用量
８６  農薬の使用方法
８７  農薬の使用基準
８８  農薬の散布液量
８９  農薬の希釈倍数／使用量
９０  栽培履歴登録ステップ
【図１】
2018190057.tif 000003
【図２】
2018190057.tif 000004
【図３】
2018190057.tif 000005
【図４】
2018190057.tif 000006
【図５】
2018190057.tif 000007
【図６】
2018190057.tif 000008
【図７】
2018190057.tif 000009
【図８】
2018190057.tif 000010
【図９】
2018190057.tif 000011
【図１０】
2018190057.tif 000012
【図１１】
2018190057.tif 000013
【図１２】
2018190057.tif 000014
【図１３】
2018190057.tif 000015
【図１４】
2018190057.tif 000016
【図１５】
2018190057.tif 000017
【図１６】
2018190057.tif 000018
【図１７】
2018190057.tif 000019
【図１８】
2018190057.tif 000020
【図１９】
2018190057.tif 000021
【図２０】
2018190057.tif 000022
【図２１】
2018190057.tif 000023
【図２２】
2018190057.tif 000024
【図２３】
2018190057.tif 000025
【図２４】
2018190057.tif 000026
【図２５】
2018190057.tif 000027
【図２６】
2018190057.tif 000028
【図２７】
2018190057.tif 000029
【図２８】
2018190057.tif 000030
【図２９】
2018190057.tif 000031
【図３０】
2018190057.tif 000032
【図３１】
2018190057.tif 000033
【図３２】
2018190057.tif 000034
【図３３】
2018190057.tif 000035
【図３４】
2018190057.tif 000036
【図３５】
2018190057.tif 000037
【図３６】
2018190057.tif 000038
【図３７】
2018190057.tif 000039
【図３８】
2018190057.tif 000040
【図３９】
2018190057.tif 000041
【図４０】
2018190057.tif 000042
【図４１】
2018190057.tif 000043
【図４２】
2018190057.tif 000044
【図４３】
2018190057.tif 000045
【図４４】
2018190057.tif 000046
【図４５】
2018190057.tif 000047
【図４６】
2018190057.tif 000048
【図４７】
2018190057.tif 000049
【図４８】
2018190057.tif 000050
【図４９】
2018190057.tif 000051
【図５０】
2018190057.tif 000052
【図５１】
2018190057.tif 000053
【図５２】
2018190057.tif 000054
【図５３】
2018190057.tif 000055
【図５４】
2018190057.tif 000056
【図５５】
2018190057.tif 000057
【図５６】
2018190057.tif 000058
【図５７】
2018190057.tif 000059